(57)【要約】【課題】圧縮機の駆動、停止の頻度を減らして、圧縮機の寿命を延ばすことができるようにする。【解決手段】本発明の冷却庫は、冷蔵室５１および冷凍室５２用の電磁弁１５１・１５２が閉状態にあるときは圧縮機１２の駆動が停止する。一方、圧縮機１２の作動状態で、冷蔵室５１および冷凍室５２の検知温度Ｄ１・Ｄ２の一方が、オフ温度Ｄｆ１・Ｄｆ２以下になった場合において、他方の冷蔵室５１又は冷凍室５２に対応する電磁弁１５１・１５２が兵状態であると、当該電磁弁１５１・１５２が閉操作され、且つ、他方の冷蔵室５１又は冷凍室５２に対応する電磁弁１５１・１５２が開操作されて、圧縮機１２の作動が継続される。その後に他方の冷蔵室５１又は冷凍室５２の検知温度Ｄ１・Ｄ２がオフ温度Ｄｆ１・Ｄｆ２以下になると、他方の冷蔵室５１又は冷凍室５２に対応する電磁弁１５１・１５２が閉操作されるとともに、圧縮機１２が停止する。【選択図】図６
2010071605.tif 000002
【特許請求の範囲】
【請求項１】
第１および第２の冷却室（５１・５２）と、各冷却室（５１・５２）に配置された冷却器（６１・６２）とを有し、一台の圧縮機（１２）から各冷却器（６１・６２）に供給される冷媒により、冷却室（５１・５２）内が冷却される冷却庫であって、
各冷却器（６１・６２）は、電磁弁（１５１・１５２）を介して圧縮機（１２）に接続されており、両電磁弁（１５１・１５２）が閉状態にあるときは圧縮機（１２）の駆動を停止するようになっており、
各冷却室（５１・５２）には、内部温度を検知する温度センサ（１８１・１８２）が配置されており、
圧縮機（１２）が停止している状態で、各温度センサ（１８１・１８２）により検知された各冷却室（５１・５２）の検知温度（Ｄ１・Ｄ２）の少なくとも一方が、冷却室（５１・５２）毎に設定された所定のオン温度（Ｄｎ１・Ｄｎ２）以上になると、圧縮機（１２）を作動させるとともに、当該オン温度（Ｄｎ１・Ｄｎ２）以上になった冷却室（５１・５２）用の電磁弁（１５１・１５２）を開操作し、
圧縮機（１２）が作動している状態で、各温度センサ（１８１・１８２）により検知された各冷却室（５１・５２）の検知温度（Ｄ１・Ｄ２）の一方が、冷却室（５１・５２）毎に設定された所定のオフ温度（Ｄｆ１・Ｄｆ２）以下になった場合において、他方の冷却室（５１・５２）に対応する電磁弁（１５１・１５２）が閉状態であると、前記オフ温度（Ｄｆ１・Ｄｆ２）以下になった一方の冷却室（５１・５２）用の電磁弁（１５１・１５２）を閉操作するとともに、他方の冷却室（５１・５２）用の電磁弁（１５１・１５２）を開操作して圧縮機（１２）の作動を継続し、その後に他方の冷却室（５１・５２）の検知温度（Ｄ１・Ｄ２）がオフ温度（Ｄｆ１・Ｄｆ２）以下になると、他方の冷却室（５１・５２）用の電磁弁（１５１・１５２）を閉操作するとともに、圧縮機（１２）を停止させることを特徴とする冷却庫。
【請求項２】
一方の冷却室（５１・５２）に対応する電磁弁（１５１・１５２）を閉操作したときに、他方の冷却室（５１・５２）の検知温度（Ｄ１・Ｄ２）がオフ温度（Ｄｆ１・Ｄｆ２）以下の場合には、他方の冷却室（５１・５２）に対応する電磁弁（１５１・１５２）の閉状態を維持する請求項１記載の冷却庫。
【請求項３】
圧縮機（１２）の駆動開始時刻から所定の待機時間（Ｌｔ）が経過するまでは、各電磁弁（１５１・１５２）を開操作しないようにしている請求項１又は２記載の冷却庫。
【発明の詳細な説明】
【技術分野】
【０００１】
本発明は、第１および第２の冷却室を備えて、これら冷却室を一台の圧縮機を用いて冷却する冷却庫に関する。
【背景技術】
【０００２】
この種の冷却庫としては、例えば特許文献１が公知である。そこでは、各冷却室に備えた冷却器が電磁弁を介して圧縮機に接続されており、少なくとも一方の冷却室の温度が、冷却室に対応して設定された所定温度以上になると圧縮機が駆動される。そして、一台の圧縮機から各冷却器に供給される冷媒により、冷却室内が冷却される。全ての冷却室の温度が所定温度よりも低くなると、圧縮機の駆動が停止される。
【０００３】
【特許文献１】特開２００７−９３０５２号公報（図１−２）
【発明の開示】
【発明が解決しようとする課題】
【０００４】
特許文献１の冷却庫では、例えば、圧縮機が停止したときに、いずれか一方の冷却室の温度が所定温度近くまで上昇していると、圧縮機の停止動作直後に、当該圧縮機の駆動が再開されることとなる。このため、圧縮機の停止・再スタートといった動作が頻繁に行われることとなり、圧縮機の寿命が縮まることが避けられない。
【０００５】
本発明は、以上のような問題を解決するためになされたものであり、２つの冷却室を一台の圧縮機で冷却する形態の冷却庫において、圧縮機の停止タイミングに工夫を凝らすことにより、圧縮機の停止・再スタートの頻度を減らして、圧縮機の寿命を延ばし、以て冷却庫の信頼性向上に寄与することにある。
【課題を解決するための手段】
【０００６】
本発明は、第１および第２の冷却室５１・５２と、各冷却室５１・５２に配置された冷却器６１・６２とを有し、一台の圧縮機１２から各冷却器６１・６２に供給される冷媒により、冷却室５１・５２内が冷却される冷却庫を対象とする。
各冷却器６１・６２は、電磁弁１５１・１５２を介して圧縮機１２に接続されており、両電磁弁１５１・１５２が閉状態にあるときは圧縮機１２の駆動を停止するようになっている。また、各冷却室５１・５２には、内部温度を検知する温度センサ１８１・１８２が配置されている。
そして、圧縮機１２が停止している状態で、各温度センサ１８１・１８２により検知された各冷却室５１・５２の検知温度Ｄ１・Ｄ２の少なくとも一方が、冷却室５１・５２毎に設定された所定のオン温度Ｄｎ１・Ｄｎ２以上になると、圧縮機１２を作動させるとともに、当該オン温度Ｄｎ１・Ｄｎ２以上になった冷却室５１・５２用の電磁弁１５１・１５２を開操作する。また、圧縮機１２が作動している状態で、各温度センサ１８１・１８２により検知された各冷却室５１・５２の検知温度Ｄ１・Ｄ２の一方が、冷却室５１・５２毎に設定された所定のオフ温度Ｄｆ１・Ｄｆ２以下になった場合において、他方の冷却室５１・５２に対応する電磁弁１５１・１５２が閉状態であると、前記オフ温度Ｄｆ１・Ｄｆ２以下になった一方の冷却室５１・５２用の電磁弁１５１・１５２を閉操作するとともに、他方の冷却室５１・５２用の電磁弁１５１・１５２を開操作して圧縮機１２の作動を継続し、その後に他方の冷却室５１・５２の検知温度Ｄ１・Ｄ２がオフ温度Ｄｆ１・Ｄｆ２以下になると、他方の冷却室５１・５２用の電磁弁１５１・１５２を閉操作するとともに、圧縮機１２を停止させる。
【０００７】
一方の冷却室５１・５２に対応する電磁弁１５１・１５２を閉操作したときに、他方の冷却室５１・５２の検知温度Ｄ１・Ｄ２がオフ温度Ｄｆ１・Ｄｆ２以下の場合には、他方の冷却室５１・５２に対応する電磁弁１５１・１５２の閉状態を維持するようにすることができる。
【０００８】
圧縮機１２の駆動開始時刻から所定の待機時間Ｌｔが経過するまでは、各電磁弁１５１・１５２を開操作しないようにすることが望ましい。
【発明の効果】
【０００９】
上述の背景技術の欄に記載したように、例えば一方の冷却室５１がオフ温度Ｄｆ１に至った際に、他方の冷却室５２の検知温度Ｄ２がオン温度Ｄｎ２とオフ温度Ｄｆ２との間にあって電磁弁１５２が閉状態になっている場合には、本来的には冷却室５１・５２に対する冷却動作は不要であり、圧縮機１２は停止させるべきである。しかし、その場合には、圧縮機１２の停止直後に、冷却室５２の検知温度Ｄ２がオン温度Ｄｎ２を超えると、圧縮機１２が再スタートすることとなり、圧縮機１２の停止・再スタートが頻繁となることが避けられない。
【００１０】
かかる不具合を解消するため、本発明に係る冷却庫では、圧縮機１２が作動している状態で、第１および第２の冷却室５１・５２の検知温度Ｄ１・Ｄ２の一方がオフ温度Ｄｆ１・Ｄｆ２以下になった場合において、他方の冷却室５１・５２に対応する電磁弁１５１・１５２が閉状態であると、他方の電磁弁１５１・１５２を開操作するとともに、圧縮機１２の作動を継続させるようにした。そして、その後に他方の冷却室５１・５２の検知温度Ｄ１・Ｄ２がオフ温度Ｄｆ１・Ｄｆ２以下になると、他方の冷却室５１・５２用の電磁弁１５１・１５２を開操作するとともに、圧縮機１２を停止させるようにした。
つまり、例えば冷却室５１がオフ温度値Ｄｆ１に至ったときには、他方の冷却室５２がオン温度値Ｄｎ２以下、オフ温度値Ｄｆ２以上にある場合でも（電磁弁１５２が閉状態にある場合でも）、電磁弁１５２を強制的に開操作して、検知温度Ｄ２がオフ温度値Ｄｆ２以下となるまで、冷却するようにした。そして、両検知温度Ｄ１・Ｄ２がオフ温度Ｄｆ１・Ｄｆ２以下であると、電磁弁１５１・１５２を閉操作するとともに、圧縮機１２を停止させるようにした。
【００１１】
以上のように、本願発明によれば、例えば冷却室５１がオフ温度Ｄｆ１以下となった場合であって、他方の冷却室５２がオン温度Ｄｎ２以下、オフ温度Ｄｆ２以上である場合でも、直ちに圧縮機１２を停止することなく、冷却室５２用の電磁弁１５２を開操作して、冷却室５２内を冷却するようにした。これにて、従来の圧縮機１２および圧縮弁１５１・１５２の制御形態のように、圧縮機１２の停止直後に圧縮機１２が再スタートされることを効果的に防ぐことができるので、圧縮機１２が頻繁に停止・再スタートされることを確実に防ぐことができ、したがって圧縮機１２の寿命を延ばして、冷却庫の信頼性向上に貢献できる。
【００１２】
一方の冷却室５１・５２用の電磁弁１５１・１５２が閉操作したときに、他方の冷却室５１・５２の検知温度Ｄ１・Ｄ２がオフ温度Ｄｆ１・Ｄｆ２以下の場合には、他方の冷却室５１・５２用の電磁弁１５１・１５２の閉状態を維持するようにすることができる。つまり、例えば冷却室５１の検知温度Ｄ１がオフ温度Ｄｆ１以下であり、電磁弁１５１を閉操作するときに、他方の冷却室５２の検知温度Ｄ２がオフ温度Ｄｆ２以下である場合には、電磁弁１５２の閉状態を維持して、圧縮機１２の駆動を停止するようにすることができる。
これによれば、無用な圧縮機１２の駆動を抑えることができるので、圧縮機１２の駆動時間の短縮化を図って、冷却庫の省エネルギー化に貢献できる。電磁弁１５１・１５２が開状態になる回数が抑えられ、冷却室５１・５２内の貯蔵物が過度に冷却されることを抑えることもできる。
【００１３】
圧縮機１２の駆動開始時刻から待機時間Ｌｔが経過するまで各電磁弁１５１・１５２が開操作されないようにすると、圧縮機１２の駆動開始直後に生じる高温高圧の冷媒ガスが冷却室５１・５２の冷却器６１・６２に流れ込むことを阻止でき、冷媒ガスによって冷却室５１・５２が温められて、冷却室５１・５２内の温度が上昇することを防止できる。加えて、本願発明によれば、圧縮機１２の停止・再スタートの頻度を減らすことができるので、待機時間Ｌｔの発生回数を抑えて、冷却室５１・５２内の温度が過剰に上昇することをより確実に防止することができる。
【発明を実施するための最良の形態】
【００１４】
本発明に係る冷却庫の実施形態を図１ないし図４に基づいて説明する。図２において冷却庫には、前面が開口する断熱構造のケース本体１と、該ケース本体１の内部空間を上下に仕切る断熱構造の仕切り壁２と、ケース本体１の下側に配置した機械室３とを備えている。そして、ケース本体１内における仕切り壁２の上部に冷蔵室（冷却室）５１が構成され、仕切り壁２の下部に冷凍室（冷却室）５２が構成される。
【００１５】
冷蔵室５１および冷凍室５２内には、冷却器６１・６２がそれぞれ配置される。冷蔵室５１の冷却器６１は、冷蔵室５１の後部に配置されたダクト４内の上端部に配置される。そして、ダクト４の上部開口に配置したファン８によってダクト４内に吸い込まれた冷蔵室５１内の冷気が、冷却器６１で冷却されたのち、ダクト４の下部開口から冷蔵室５１内に吹き出される。冷凍室５２の冷却器６２は、パネル状に形成されて冷凍室５２の内壁に配置される。冷蔵室５１内は、例えば３℃に冷却され、冷凍室５２内は、例えば−３０℃に冷却される。冷蔵室５１および冷凍室５２の各前面開口は、断熱構造の扉１０・１１によってそれぞれ開閉操作される。
【００１６】
機械室３内には、図１および図２に示す冷凍機構７が配置されており、該冷凍機構７は、一台の圧縮機１２と一台の凝縮器１３とによって構成される。そして、各冷却器６１・６２の冷媒入口６１ａ・６２ａが、膨張弁１４１・１４２および電磁弁１５１・１５２を介して凝縮器１３の冷媒出口１３ｂにそれぞれ接続され、凝縮器１３の冷媒入口１３ａが圧縮機１２の冷媒出口１２ｂに接続される。つまり、各冷却器６１・６２の冷媒入口６１ａ・６２ａ側が、同一の凝縮器１３を介して同一の圧縮機１２の冷媒出口１２ｂ側にそれぞれ接続される。また、冷蔵室５１の冷却器６１の冷媒出口６１ｂが、キャピラリチューブ２０を介して圧縮機１２の冷媒入口１２ａに接続され、冷凍室５２の冷却器６２の冷媒出口６２ｂが、逆止弁２１を介して圧縮機１２の冷媒入口１２ａに接続される。つまり、各冷却器６１・６２の冷媒出口６１ｂ・６２ｂが、前記圧縮機１２の冷媒入口１２ａ側にそれぞれ接続される。
【００１７】
圧縮機１２の冷媒入口１２ａと冷媒出口１２ｂとは、バイパス路３１で接続されており、バイパス路３１には、電磁弁３２およびキャピラリチューブ３３が配置されている。このキャピラリチューブ３３によって冷媒の流量が制限される。
【００１８】
冷蔵室５１には、冷却器７に臨ませてヒータ１６が配置されており、該ヒータ１６は、冷蔵室５１の冷却器６１の除霜等に使用される。冷蔵室５１および冷凍室５２には、各室５１・５２の内部温度を検知する温度センサ１８１・１８２がそれぞれ配置される。なお、凝縮器１３は、ファン１７の送風によって冷却される。
【００１９】
冷却庫には、各温度センサ１８１・１８２の検知温度に基づいて、各室５１・５２内が所定の温度範囲内になるように各電磁弁１５１・１５２を開閉操作するとともに、圧縮機１２の駆動、停止を制御する制御部２３が設けられる。制御部２３は、両電磁弁１５１・１５２の少なくとも一方がオン（開弁）しているときには圧縮機１２を駆動し、両電磁弁１５１・１５２がオフ（閉弁）のときには圧縮機１２の駆動を停止する。冷蔵室用の電磁弁１５１が開弁状態に操作（開操作）されたときには、圧縮機１２で圧縮されて凝縮器１３で液化した冷媒が冷蔵室用の冷却器６１に供給され、該冷媒の気化熱で冷蔵室５１内が冷却される。また、冷凍室用の電磁弁１５２が開弁状態に操作（開操作）されたときには、圧縮機１２で圧縮されて凝縮器１３で液化した冷媒が冷凍室用の冷却器６２に供給され、該冷媒の気化熱で冷凍室５２内が冷却される。
【００２０】
次に、本発明の冷却庫の動作を、図３ないし図５のフローチャート（以下、本フローチャートと記す。）および図６のタイミングチャートを用いて説明する。制御部２３には、計時用のタイマー２４（図１）が内蔵されており、該タイマー２４は、本フローチャートの実行開始の際にリセットされる。なお、本フローチャートの実行開始の際には、電磁弁１５１・１５２がオフ（閉状態）になっていて圧縮機１２が停止しており、これに伴って冷蔵室５１および冷凍室５２の温度が上昇している状態であるものとする。
【００２１】
まず制御部２３は、温度センサ１８１による冷蔵室５１の検知温度Ｄ１が、予め設定された所定の冷蔵用オン温度値Ｄｎ１（例えば７℃）以上、又は温度センサ１８２による冷凍室５２の検知温度Ｄ２が、予め設定された所定の冷凍用オン温度値Ｄｎ２（例えば−２８℃）以上になったか否かを判断する（Ｓ１、Ｓ２）。例えば、冷凍室５２の検知温度Ｄ２が冷凍用オン温度値Ｄｎ２よりも低い状態で、冷蔵室５１の検知温度Ｄ１が冷蔵用オン温度値Ｄｎ１以上になった場合には（時刻ｔ１：Ｓ１でＹＥＳ）、制御部２３は、圧縮機１２の駆動を開始させるとともに（Ｓ３）、タイマー２４による計時を開始する（Ｓ４）。
【００２２】
そして、タイマー２４での計時時間Ｔが、予め設定された所定の待機時間Ｌｔ（例えば６０秒）を経過すると（時刻ｔ２：Ｓ５でＹＥＳ）、制御部２３は、前述のように冷蔵室５１の検知温度Ｄ１が冷蔵用オン温度値Ｄｎ１以上であるので（Ｓ６でＹＥＳ）、冷蔵室用の電磁弁１５１をオン（開操作）する（Ｓ７）。これにて圧縮機１２で圧縮されて凝縮器１３で液化した冷媒が冷蔵室用の冷却器６１に供給され、該冷媒の気化熱で冷蔵室５１内が冷却される。なお、ここでは、冷凍室用の電磁弁１５２はオフになっている。
【００２３】
この後、冷蔵室５１の検知温度Ｄ１が、予め設定された所定の冷蔵用オフ温度値Ｄｆ１（例えば３℃）以下になると（Ｓ１０でＹＥＳ）、制御部２３は、冷蔵室用の電磁弁１５１をオフ（閉操作）したのち（時刻ｔ３：Ｓ１２）、冷凍室用の電磁弁１５２がオフか否かを判断する（Ｓ１３）。前述のように冷凍室用の電磁弁１５２がオフであるので（Ｓ１３でＹＥＳ）、制御部２３は、冷凍室５２の検知温度Ｄ２が、予め設定された所定の冷凍用オフ温度値Ｄｆ２（例えば−３１℃）よりも高く、且つ、冷凍用オン温度値Ｄｎ２よりも低くなっているか否かを判断する（Ｓ１４）。
【００２４】
冷凍室５２の検知温度Ｄ２が、冷凍用オフ温度値Ｄｆ２よりも高く、且つ、冷凍用オン温度値Ｄｎ２よりも低いときには（Ｓ１４でＹＥＳ）、制御部２３は、冷凍室用の電磁弁１５２をオン（開操作）する（Ｓ１５）。これにて圧縮機１２で圧縮されて凝縮器１３で液化した冷媒が冷凍室用の冷却器６２に供給され、該冷媒の気化熱で冷凍室５２内が冷却される。そして、冷凍室５２の検知温度Ｄ２が冷凍用オフ温度値Ｄｆ２以下になると（時刻ｔ４：Ｓ１６でＹＥＳ）、制御部２３は、冷凍室用の電磁弁１５２をオフ（閉操作）する（Ｓ１７）。
【００２５】
このとき、冷蔵室用の電磁弁１５１もオフになっているので、制御部２３は、圧縮機１２を停止させ（Ｓ１８）、タイマー２４をリセットしたのち（Ｓ１９）、バイパス路３１の電磁弁３２をオン（開操作）する（Ｓ２０）。次いで、制御部２３は、予め設定された所定時間（例えば９０秒）が経過すると（Ｓ２１でＹＥＳ）、バイパス路３１の電磁弁３２をオフ（閉操作）したのち（Ｓ２２）、Ｓ１に戻ってＳ１以降の処理を行う。
【００２６】
一方、Ｓ１２で冷蔵室用の電磁弁１５１がオフになったときに、既に冷凍室用の電磁弁１５２がオンしている開状態の場合には（Ｓ１３でＮＯ）、Ｓ６に戻ってＳ６以降の処理を行う。またＳ１４で冷凍室５２の検知温度Ｄ２が、冷凍用オフ温度値Ｄｆ２以下、又は冷凍用オン温度値Ｄｎ２以上の場合にも（Ｓ１４でＮＯ）、Ｓ６に戻ってＳ６以降の処理を行う。
【００２７】
そして、制御部２３は、Ｓ１３で冷凍室用の電磁弁１５２がオンしている場合には、冷凍室５２の検知温度Ｄ２が冷凍用オフ温度値Ｄｆ２以下になると（Ｓ１１でＹＥＳ）、冷凍室用の電磁弁１５２をオフにする（Ｓ２３）。また制御部２３は、Ｓ１４で冷凍室５２の検知温度Ｄ２が冷凍用オン温度値Ｄｎ２以上の場合には（Ｓ８でＹＥＳ）、冷凍室用の電磁弁１５２をオンし（Ｓ９）、冷凍室５２の検知温度Ｄ２が冷凍用オフ温度値Ｄｆ２以下になると、冷凍室用の電磁弁１５２をオフにする（Ｓ１１でＹＥＳ、Ｓ２３）。Ｓ１４で冷凍室５２の検知温度Ｄ２が前記冷凍用オフ温度値Ｄｆ２以下の場合には、冷凍室用の電磁弁１５２のオフ状態（閉状態）を維持したまま（Ｓ１１でＹＥＳ、Ｓ２３）、Ｓ２４以降の処理を行う。なお、Ｓ６ないしＳ１１の処理が繰り返されているときには、圧縮機１２は作動している。
【００２８】
一方、Ｓ１の処理を行う際に両電磁弁１５１・１５２がオフになっていて、圧縮機１２が停止している場合に、例えば、冷蔵室５１の検知温度Ｄ１が冷蔵用オン温度値Ｄｎ１よりも低い状態で（Ｓ１でＮＯ）、冷凍室５２の検知温度Ｄ２が冷凍用オン温度値Ｄｎ２以上になったときにも（時刻ｔ５：Ｓ２でＹＥＳ）、制御部２３は、圧縮機１２を駆動させるとともに、タイマー２４による計時を開始させる（Ｓ３、Ｓ４）。
【００２９】
そして、待機時間Ｌｔが経過したときに（時刻ｔ６：Ｓ５でＹＥＳ）、制御部２３は、前述のように冷凍室５２の検知温度Ｄ２が冷凍用オン温度値Ｄｎ２以上であるので（Ｓ８でＹＥＳ）、冷凍室用の電磁弁１５２をオンする（Ｓ９）。これにて冷凍室５２内が冷却される。なお、ここでは、冷蔵室用の電磁弁１５１はオフになっている。
【００３０】
この後、冷凍室５２の検知温度Ｄ２が、冷凍用オフ温度値Ｄｆ２以下になると（Ｓ１１でＹＥＳ）、制御部２３は、冷凍室用の電磁弁１５２をオフにし（時刻ｔ７：Ｓ２３）、次いで、前述のように冷蔵室用の電磁弁１５１がオフであるので（Ｓ２４でＹＥＳ）、冷蔵室５１の検知温度Ｄ１が、冷蔵用オフ温度値Ｄｆ１よりも高く、且つ、冷蔵用オン温度値Ｄｎ１よりも低くなっているか否かを判断する（Ｓ２５）。
【００３１】
そして、冷蔵室５１の検知温度Ｄ１が、冷蔵用オフ温度値Ｄｆ１よりも高く、且つ、冷蔵用オン温度値Ｄｎ１よりも低いときには（Ｓ２５でＹＥＳ）、制御部２３は、冷蔵室用の電磁弁１５１をオンする（Ｓ２６）。これによって冷蔵室５１内が冷却される。冷蔵室５１の検知温度Ｄ１が冷蔵用オフ温度値Ｄｆ１以下になると（時刻ｔ８：Ｓ２７でＹＥＳ）、制御部２３は、冷蔵室用の電磁弁１５１をオフにし（Ｓ２８）、圧縮機１２を停止させ（Ｓ２９）、タイマー２４をリセットする（Ｓ３０）。次いで、制御部２３は、バイパス路３１の電磁弁３２をオンし（Ｓ３１）、所定時間が経過すると（Ｓ３２でＹＥＳ）、バイパス路３１の電磁弁３２をオフにしたのち（Ｓ３３）、Ｓ１に戻ってＳ１以降の処理を行う。
【００３２】
一方、Ｓ２３で冷凍室用の電磁弁１５２がオフになったときに、既に冷蔵室用の電磁弁１５１がオンしている開状態の場合には（Ｓ２４でＮＯ）、Ｓ６に戻ってＳ６以降の処理を行う。またＳ２５で冷蔵室５１の検知温度Ｄ１が、冷蔵用オフ温度値Ｄｆ１以下、又は冷蔵用オン温度値Ｄｎ１以上の場合にも（Ｓ２５でＮＯ）、Ｓ６に戻ってＳ６以降の処理を行う。
【００３３】
そして、制御部２３は、Ｓ２４で冷蔵室用の電磁弁１５１がオンしている場合には、冷蔵室５１の検知温度Ｄ１が冷蔵用オフ温度値Ｄｆ１以下になると（Ｓ１０でＹＥＳ）、冷蔵室用の電磁弁１５１をオフにする（Ｓ１２）。また制御部２３は、Ｓ２５で冷蔵室５１の検知温度Ｄ１が冷蔵用オン温度値Ｄｎ１以上の場合には（Ｓ６でＹＥＳ）、冷蔵室用の電磁弁１５１をオンし（Ｓ７）、冷蔵室５１の検知温度Ｄ１が冷蔵用オフ温度値Ｄｆ１以下になると、冷蔵室用の電磁弁１５１をオフにする（Ｓ１０でＹＥＳ、Ｓ１２）。Ｓ２５で冷蔵室５１の検知温度Ｄ１が冷蔵用オフ温度値Ｄｆ１以下の場合には、冷蔵室用の電磁弁１５１のオフ状態（閉状態）を維持したまま（Ｓ１０でＹＥＳ、Ｓ１２）、Ｓ１３以降の処理を行う。なお、ここでも圧縮機１２は作動している。
【００３４】
このように、本発明では、圧縮機１２が作動している状態で、一方の電磁弁１５１・１５２が閉操作されてオフになった場合において（Ｓ１２、Ｓ２３）、他方の電磁弁１５１・１５２がオフ状態であると（Ｓ１３でＹＥＳ、Ｓ２４でＹＥＳ）、他方の電磁弁１５１・１５２に対応する冷蔵室５１又は冷凍室５２の検知温度Ｄ１・Ｄ２がオン温度値Ｄｎ１・Ｄｎ２よりも低くても、当該他方の電磁弁１５１・１５２をオンして（Ｓ１５、Ｓ２６）、圧縮機１２の作動を継続する。そして、他方の電磁弁１５１・１５２に対応する冷蔵室５１又は冷凍室５２の検知温度Ｄ１・Ｄ２がオフ温度値Ｄｆ１・Ｄｆ２以下になると（Ｓ１６でＹＥＳ、Ｓ２７でＹＥＳ）、当該他方の電磁弁１５１・１５２をオフして（Ｓ１７、Ｓ２８）、圧縮機１２を停止させる（Ｓ１８、Ｓ２９）。
【００３５】
つまり、冷蔵室５１又は冷凍室５２の一方がオフ温度値Ｄｆ１・Ｄｆ２以下に冷却されたときには、他方の冷蔵室５１又は冷凍室５２もオフ温度値Ｄｆ１・Ｄｆ２以下に冷却される。したがって、両電磁弁１５１・１５２がオフになって圧縮機１２が停止した後に、冷蔵室５１又は冷凍室５２の検知温度Ｄ１・Ｄ２のいずれかがオン温度値Ｄｎ１・Ｄｎ２以上になって圧縮機１２の駆動が再開されるまでの時間を長くすることができる。これに伴って圧縮機１２の駆動、停止の頻度を減らすことができ、これにて圧縮機１２の寿命を延ばすことができる。
【００３６】
一方の電磁弁１５１・１５２がオフになったときに、他方の電磁弁１５１・１５２に対応する冷蔵室５１又は冷凍室５２の検知温度Ｄ１・Ｄ２がオフ温度Ｄｆ１・Ｄｆ２以下の場合には、他方の電磁弁１５１・１５２のオフ状態を維持しているために、電磁弁１５１・１５２がオンする回数が抑えられて、冷蔵室５１又は冷凍室５２内の貯蔵物が過度に冷却されることを抑えることができる。
【００３７】
圧縮機１２の駆動開始時刻から待機時間Ｌｔが経過するまでは各電磁弁１５１・１５２がオンしないので、圧縮機１２の駆動開始直後に生じる高温高圧の冷媒ガスが冷蔵室５１又は冷凍室５２の冷却器６１・６２に流れ込むことを阻止できる。これにて、前記冷媒ガスによって冷蔵室５１又は冷凍室５２が温められて温度が過剰に上昇することを防止できる。このうえで、前述のように圧縮機１２の駆動、停止の頻度を減らすことができるので、前記待機時間Ｌｔの発生回数が減少し、これにても冷蔵室５１又は冷凍室５２内の温度が過剰に上昇することをより確実に防止することができる。
【００３８】
バイパス路３１、電磁弁３２およびキャピラリチューブ３３は、省略してもよい。
【図面の簡単な説明】
【００３９】
【図１】本発明に係る冷却庫を示すブロック構成図である。
【図２】本発明に係る冷却庫の概略構成を示す概略縦断面図である。
【図３】本発明に係る制御部の動作を示すフローチャートである。
【図４】本発明に係る制御部の動作を示すフローチャートである。
【図５】本発明に係る制御部の動作を示すフローチャートである。
【図６】本発明に係る制御部の動作を示すタイミングチャートである。
【符号の説明】
【００４０】
１２  圧縮機
５１  冷蔵室
５２  冷凍室
６１・６２  冷却器
１５１・１５２  電磁弁
１８１・１８２  温度センサ
【図１】
2010071605.tif 000003
【図２】
2010071605.tif 000004
【図３】
2010071605.tif 000005
【図４】
2010071605.tif 000006
【図５】
2010071605.tif 000007
【図６】
2010071605.tif 000008